(57)【要約】      （修正有）【課題】クリアファイルに挟む紙の枚数が増加しても、紙が外へはみ出したり、抜け落ちることがない、新規な構造のクリアファイルを提供する。【解決手段】前面シート１と後面シート２からなる透明又は半透明のクリアファイルであって、クリアファイルの前面シートの左側端と後面シートの左側端との間に一定の間隔が空いた左側端屈曲部５を備え、クリアファイルの前面シートの底側端と後面シートの底側端との間に一定の間隔が空いた底側端屈曲部６を備え、かつ前面シートと後面シートの底側端付近を封着してなることを特徴とする。【選択図】図１
0003139076.tif 000002
【実用新案登録請求の範囲】
【請求項１】
前面シートと後面シートからなる透明又は半透明のクリアファイルであって、
クリアファイルの前面シートの左側端と後面シートの左側端との間に一定の間隔が空いた左側端屈曲部を備え、
クリアファイルの前面シートの底側端と後面シートの底側端との間に一定の間隔が空いた底側端屈曲部を備え、かつ前面シートと後面シートの底側端付近を封着してなることを特徴とするクリアファイル。
【請求項２】
前記左側端の屈曲部、および前記底側端の屈曲部は、複数本の折り目、または筋目を形成していることを特徴とする請求項１に記載のクリアファイル。
【請求項３】
前記折り目、前記筋目の数は奇数であることを特徴とする、請求項２に記載のクリアファイル。
【請求項４】
前記折り目、前記筋目の数は５本であり、中央の線から両側にそれぞれ２本づつ形成されていることを特徴とする、請求項３に記載のクリアファイル。
【請求項５】
前記前面シートおよび後面シートは、合成樹脂フイルムで形成されていることを特徴とする、請求項１〜４のいずれかに記載のクリアファイル。
【考案の詳細な説明】
【技術分野】
【０００１】
本考案は、資料等を挟んで一時的に保管するクリアファイルに関する。
【背景技術】
【０００２】
従来、合成樹脂性フィルム製のクリアファイルが市販されている。このクリアファイルの構造は、前面シートと後面シートが重なるように、横長の合成樹脂性フィルムを２つ折りにするとともに、前面シートの底辺部と後面シートの底辺部同士を封着したものである。
【０００３】
一般に、クリアファイル（クリアフォルダーともいう。）は、透明、または半透明であるから、資料をクリアファイルから出さなくても、内容を把握することができる利点がある。また留め金もなく、非常に薄くて軽いので、書類の持ち運びや書類の整理、分類に非常に便利である。
【考案の開示】
【考案が解決しようとする課題】
【０００４】
しかしながら、従来のクリアファイルでは、紙の枚数が増えると、クリアファイルに挟み込めることが困難になる場合があった。また、無理に押し込んでも、時間が経つと紙が外へ押し出されることがあった。
【０００５】
したがって、カバンの中にクリアファイルを入れて持ち運んだりしたとき、いつのまにかクリアファイルから書類の一部がはみ出て、紙の一端が折れたり、汚れたりすることがしばしばあった。
【０００６】
本願考案は、かかる問題に鑑みて創作されたものであって、クリアファイルに挟む紙の枚数が増加しても、紙が外へはみ出したり、抜け落ちることがない、新規な構造のクリアファイルの提供を目的とする。
【課題を解決するための手段】
【０００７】
上記課題を解決するため、第１の考案は、前面シートと後面シートからなる透明又は半透明のクリアファイルであって、クリアファイルの前面シートの左側端と後面シートの左側端との間に一定の間隔が空いた左側端屈曲部を備え、クリアファイルの前面シートの底側端と後面シートの底側端との間に一定の間隔が空いた底側端屈曲部を備え、かつ前面シートと後面シートの底側端付近を封着してなることを特徴とする。
【０００８】
第４の考案は、第３の考案に係り、前記折り目、前記筋目の数は５本であり、中央の線から両側にそれぞれ２本ずつ形成されていることを特徴とする。
【０００９】
第５の考案は、第１乃至第４の考案のいずれか一に係り、前記前面シートおよび後面シートは、合成樹脂フイルムで形成されていることを特徴とする。
【考案の効果】
【００１０】
本考案によれば、クリアファイルの左側端および底側端において、前面シート１と後面シート２との間が一定の幅を持つように、屈曲部５と６を形成しているので、紙の枚数が増加しても、一定の間隔をもつクリアファイルの屈曲部に収めることができる。そして、一定の間隔を超える枚数の用紙を入れると、用紙の束に応じて、屈曲部は伸びるので、少なくとも、屈曲部が伸びきってしまうまで、用紙を挟み込むことが可能となる。
【００１１】
このように、本考案のクリアファイルによれば、紙の枚数が多くなっても、クリアファイルから紙の一部が外へはみ出したり、抜け落ちることはないので、従来の問題を解決することができる。
【考案を実施するための最良の形態】
【００１２】
（１）クリアファイル
以下、本考案の実施形態に係るクリアファイルについて、添付図面を参照して説明する。図１に示すように、クリアファイルは、前面シート１と後面シート２でほぼ重なり合っているが、切り欠き部３を備えている方が前面シート１である。
【００１３】
また、クリアファイルの左側端において、前面シート１と後面シート２との間が一定の幅を持つように、屈曲部５が形成されている。
【００１４】
同様に、クリアファイルの底側端において、前面シート１と後面シート２との間が一定の幅を持つように、屈曲部６が形成されている。また、前面シート１の端部は後面シート２側に回り込んで、該後面シートに封着４をしている。このようにして、クリアファイルの底は綴じられている。なお７は開き部で、左側端の屈曲部５と底側端の屈曲部６とが干渉しないようにしている。
【００１５】
（２）クリアファイルの屈曲部の説明
左側端の屈曲部５について、さらに説明する。図２（a）は、図１のＡ−Ａ線における断面図を示し、左側端の屈曲部５付近を拡大している。図において、５a、５b、５c、５d、５eは、左側辺に沿って等間隔に形成した折り目である。この実施形態では、折り目５cを中心として、前面シート１側に３ｍｍ間隔で折り目５b、５aを形成し、後面シート２側にも３ｍｍ間隔で折り目５d、５eを形成している。
【００１６】
同様に、図２（b）は、図１のＢ−Ｂ線における断面図を示し、底側端の屈曲部６付近を拡大している。図において、６a、６b、６c、６d、６eは、底側辺に沿って等間隔に形成した折り目である。この実施形態では、折り目６cを中心として、前面シート１側に３ｍｍ間隔で折り目６b、６aを形成し、後面シート２側にも３ｍｍ間隔で折り目６d、６eを形成している。
【００１７】
本実施形態では、折り目を形成する場合について説明したが、プラスティック材料によって折り目では曲がりが不十分な場合もある。この場合には、筋目を入れるなど、折れ山の角度が自在になるようにしておいてもよい。
【００１８】
（３）本考案の実施形態のクリアファイルと従来のクリアファイルとの比較
図３は、本考案の実施形態に係るクリアファイルに多数枚の紙８を挟んだ状態を示す図で、図４は比較のために、従来例に係るクリアファイルに多数枚の紙１１を挟んだ状態を示す図である。図から容易にわかるように、従来例のクリアファイルによれば、左側端部の前面シートと後面シートは接触している。同様に、底側端部の前面シートと後面シートも接触している。
【００１９】
そこで、実際に、通常のＡ４の用紙を１００枚ほど挟んで実施形態のクリアファイルと従来のクリアファイルと比較したところ、実施形態に係るクリアファイルでは、左側端部および底側端部もまだ紙を受け入れる余裕があった。
【００２０】
これに対し、従来のクリアファイルでは、左側端部の前面シートと後面シートは接触しているし、底側端部の前面シートと後面シートも接触しているので、ファイルの中に用紙が納まりきらないし、無理に押し込むと、用紙の束の端が斜めにずれて用紙の一部がクリアファイルからはみ出た。
【００２１】
従来例のクリアファイルでは、用紙の数を２０枚程度に減らしても、紙がクリアファイルからはみ出す可能性が高いと思われる。
【図面の簡単な説明】
【００２２】
【図１】図１は本考案の実施形態に係るクリアファイルの斜視図である。
【図２】図２（a）は、図１におけるクリアファイルのＡ−Ａ線における断面図を示している。また破線で囲むクリアファイルの左側の屈曲部付近の構造を拡大して表示している。図２（b）は、図１におけるクリアファイルのＢ−Ｂ線おける断面図を示している。
【図３】図３は本考案の実施形態に係るクリアファイルに多数枚の紙を挟んだ状態を示す図である。
【図４】図４は比較のために、従来例に係るクリアファイルに多数枚の紙を挟んだ状態を示す図である。
【符号の説明】
【００２３】
１・・・クリアファイルの前面シート、
２・・・クリアファイルの後面シート、
３・・・前面シートの切り欠き部、
４・・・シート封着部、
５・・・クリアファイルの左側面屈曲部、
５a〜５e・・・折り目
６・・・クリアファイルの底側面屈曲部、
６a〜６e・・・折り目
７・・・開き部、
８・・・多数枚の紙
【図１】
0003139076.tif 000003
【図２】
0003139076.tif 000004
【図３】
0003139076.tif 000005
【図４】
0003139076.tif 000006